(57)【要約】【課題】簡単な構成を付加するだけで、カフを心臓の高さに容易に合わせることができる、使い勝手のよい、コンパクト且つ低コストな手首血圧計を提供する。【解決手段】カフ８を装着した手首Ｍｔの高さを心臓の高さに合わせるために、前腕の傾斜角度θが適正角度範囲内にあるかどうかを検出する傾斜検出手段２０を具備した手首血圧計１において、前記傾斜検出手段を、傾斜を検出する方向に延在したレール３０と、レール上を転動するボール２５と、ボールを収容する窓部２２ａ付きのケース２２と、で構成した。レール上に設けた２つの第１斜面の交差部に、傾斜角度が適正角度範囲内にある時にボールが安定的に位置決めされる凹部３１を形成し、凹部の両側の２つの第１斜面を、基準面に対して同じ角度だけ傾斜させ、第１斜面の各外側に凸部３２を介して第２斜面を設けた。【選択図】図２
2007313015.tif 000002
【特許請求の範囲】
【請求項１】
カフを装着した手首の高さを被測定者の心臓の高さに合わせるために、肘を曲げて手首を持ち上げた際の前腕の傾斜角度が適正角度範囲内にあるかどうかを検出する傾斜検出手段を、前記カフまたはその近傍の部材に配設した手首血圧計において、
前記傾斜検出手段を、
前記カフまたはその近傍の部材に固定的に設けられることで、傾斜を検出する方向に延在したレールと、
自重により前記レール上を転動するボールと、
該ボールを、脱落防止しつつ、前記レール上を転動できるように収容し、且つ、前記ボールの位置を外部から視認可能とする窓部を有したケースと、で構成し、
前記レール上に、該レールの延在方向に隣接する２つの互いに傾斜角度の異なる第１斜面を設け、該２つの第１斜面の交差部に、前記前腕の傾斜角度が適正角度範囲内にある時に前記ボールが安定位置決めされる凹部を形成し、
前記凹部の両側の前記２つの第１斜面を、前記前腕の傾斜角度が適正角度範囲内の中心角度に保たれた時に水平となる基準面に対して、同じ角度α１（ただし、α１＞０°）だけ傾斜させて設けたことを特徴とする手首血圧計。
【請求項２】
請求項１に記載の手首血圧計であって、
前記凹部の両側の前記２つの第１斜面の各外側に、該各第１斜面との交差部にそれぞれ凸部を形成する第２斜面を形成して、該第２斜面の前記基準面に対する傾斜角度をγ１（ただし、α１＞γ１＞０°）に設定し、各第２斜面の外側に、前記前腕の傾斜角度が適正角度範囲内から外れた時に前記ボールが安定位置決めされる移動限を確保したことを特徴とする手首血圧計。
【請求項３】
請求項１に記載の手首血圧計であって、
前記前腕の傾斜角度の適正角度範囲を、お互いに重複しない第１の適正角度範囲と第２の適正角度範囲の２種類設定し、これら２種類の適正角度範囲に対応させて、前記凹部を第１と第２の２つ設けると共に、前記基準面を第１と第２の２つ設定し、前記第１の凹部を形成する２つの第１斜面と前記第２の凹部を形成する２つの第１斜面とを４つ連続して設けることで、中央の２つの第１斜面の交差部に凸部を設け、前記第１の凹部を形成する２つの第１斜面の前記第１の基準面に対する傾斜角度を前記α１に設定すると共に、前記第２の凹部を形成する２つの第１斜面の前記第２の基準面に対する傾斜角度をα２（ただし、α２＞０°であり、且つ、α１＝α２を含む）に設定したことを特徴とする手首血圧計。
【請求項４】
請求項３に記載の手首血圧計であって、
前記２つ並んだ第１の凹部および第２の凹部のうちの第１の凹部を形成する外側の第１斜面の更に外側と、前記第２の凹部を形成する外側の第１斜面の更に外側とに、該各外側の第１斜面との交差部にそれぞれ凸部を形成する第２斜面を形成し、前記第１の凹部側の第２斜面の前記第１の基準面に対する傾斜角度を前記γ１（ただし、α１＞γ１＞０°）に設定すると共に、前記第２の凹部側の第２斜面の前記第２の基準面に対する傾斜角度をγ２（ただし、α２＞γ２＞０°）に設定し、各第２斜面の更に外側に、前記前腕の傾斜角度が適正角度範囲内から外れた時に、前記ボールが安定位置決めされる移動限を確保したことを特徴とする手首血圧計。
【請求項５】
請求項３または４に記載の手首血圧計であって、
前記カフまたはその近傍に、被測定者の視線に対する角度によって見える内容の変化する表示体を配設し、前記前腕の傾斜角度を前記第１の適正角度範囲内に設定したときに、前記表示体を見る被測定者の目に第１の内容の表示が見えるようにすると共に、前記前腕の傾斜角度を前記第２の適正角度範囲内に設定したときに、前記表示体を見る被測定者の目に前記第１の内容と異なる第２の内容の表示が見えるようにし、前記表示体に前記第１の内容が見え、且つ、前記第１の凹部にボールが位置することが確認されたとき、前記前腕の傾斜角度が前記第１の適正角度範囲内に設定されていると見なし、前記表示体に前記第２の内容が見え、且つ、前記第２の凹部にボールが位置することが確認されたとき、前記前腕の傾斜角度が前記第２の適正角度範囲内に設定されていると見なすことを特徴とする手首血圧計。
【請求項６】
請求項５に記載の手首血圧計であって、
前記表示体として、レンチキュラーシートを前記カフまたはその近傍の部材に貼り付けたことを特徴とする手首血圧計。
【請求項７】
請求項６に記載の手首血圧計であって、
前記レンチキュラーシートは、前記前腕の傾斜角度が前記第１の適正角度範囲内にあるときと前記第２の適正角度範囲内にあるときとの被測定者の視線に対する角度の違いから、絵柄を変化させて見せるものであることを特徴とする手首血圧計。
【請求項８】
請求項７に記載の手首血圧計であって、
前記傾斜検出手段のケースの窓部に並べて前記レンチキュラーシートを貼り付け、前記第１の凹部にボールが位置する傾斜角度のとき、そのボールに対応した前記レンチキュラーシート上の位置に特定のマークが見え、また、前記第２の凹部にボールが位置する傾斜角度のとき、そのボールに対応した前記レンチキュラーシート上の位置に特定のマークが見えるようにしたことを特徴とする手首血圧計。
【請求項９】
請求項１〜８のいずれかに記載の手首血圧計であって、
前記傾斜検出手段のケース内に、互いに直交する２方向にレール面を向けて第１のレールと第２のレールの２つの前記レールを形成し、前記ケースの上下の向きを縦にするか横にするかで、前記ボールを前記第１のレールと第２のレールで選択的に利用可能としたことを特徴とする手首血圧計。
【請求項１０】
請求項９に記載の手首血圧計であって、
前記カフと一体に設けられた血圧計本体の外装ケースの血圧結果表示部を備えた上面と側面の交わる角部に面取部を設けて、その面取部に前記傾斜検出手段を配置し、該傾斜検出手段のケース内の内壁のうち、前記外装ケースの上面側の内壁に前記第２のレールを形成し、側面側の内壁に前記第１のレールを形成し、前記外装ケースの上面を上方に向けて血圧計本体を傾斜させたとき、前記第１のレール上に前記ボールが位置し、前記外装ケースの側面を上方に向けて血圧計本体を傾斜させたとき、前記第２のレール上に前記ボールが位置することを特徴とする手首血圧計。
【請求項１１】
請求項１０に記載の手首血圧計であって、
左手装着用の血圧計である場合に、前記傾斜検出手段が、前記外装ケースの上面と左側の側面の交わる左側角部に配設され、右手装着用の血圧計である場合に、前記傾斜検出手段が、前記外装ケースの上面と右側の側面の交わる右側の角部に配設されていることを特徴とする手首血圧計。
【発明の詳細な説明】
【技術分野】
【０００１】
本発明は、血圧測定時に手首に装着したカフを心臓の高さに合わせるための手段を有した手首血圧計に関するものである。
【背景技術】
【０００２】
上腕で血圧を測定するときには問題とならないが、手首で血圧を測定するときには、血圧を測定している手首の高さを心臓の高さとほぼ一致させておかなければならない。そうしないと、水頭圧差の影響が測定結果に表れてしまい、正確な測定が行えないからである。
【０００３】
従来、この種の手首血圧計で血圧を測定する場合は、まず、手首にカフを装着した後、例えば、テーブルの上に肘を着いて、前腕を徐々に起こしていき、目で見て感覚的にカフの高さが心臓の高さに合ったところで腕を止めて、その位置で血圧測定をスタートさせていた。
【０００４】
しかし、目で見て感覚的に高さを合わせる方法では、測定の度毎に高さにずれが出てしまい、測定値にばらつきが生じるおそれがあった。
【０００５】
それを改善するものとして、特許文献１や特許文献２に、カフに装着部分の傾斜角度を検出する手段を設け、この検出手段で前腕の傾斜角度を検出し、それにより、肘を曲げた際の手首の高さを推定するようにした手首血圧計が提案されている。
【０００６】
すなわち、図１６に示すように、手首血圧計２００によって正しい姿勢で血圧を測定する場合、被測定者Ｍは、例えばイスに座り、前方に上腕Ｍｊから前腕Ｍｚを伸ばした状態で、前のテーブルＴの上に肘Ｍｈを着き、肘Ｍｈを曲げていき、手首血圧計２００を装着した手首Ｍｔの高さを、心臓Ｈ１の高さにまで上げる。そして、そこで前腕Ｍｚを止めて測定を開始する。
【０００７】
その場合、肘Ｍｈまでの姿勢が一定に決まっている場合は、前腕Ｍｚの長さＬとその傾斜角度θで、肘Ｍｈから手首Ｍｔまでの高さＨ２が決まる。前腕Ｍｚの長さＬとしては一般的な平均値を当てはめることが可能であるから、おおまかには、肘Ｍｈの曲げ角度、つまり、前腕Ｍｚの傾斜角度θを、ある適正角度範囲内に収めれば、手首Ｍｔの高さを心臓Ｈ１の高さに合わせることができると言える。そこで、この種の手首血圧計に、前腕Ｍｚの傾斜角度θ、すなわち、カフの装着部位の傾斜角度を検出するための検出手段を設けているのである。
【０００８】
【特許文献１】特開平７−２８９５２７号公報
【特許文献２】特開平８−５８０号公報
【発明の開示】
【発明が解決しようとする課題】
【０００９】
ところで、特許文献１に記載された手首血圧計の傾斜検出手段は、振り子の原理で常に一定の姿勢を保つ基準部材と前腕と共に傾斜する指示部材とに発光部と受光部を設け、発光部からの光の受光部による受信状態により、電気的に位置合わせを行うというものであるため、構造が複雑になると共に、コスト的にも高くなるという問題があった。
【００１０】
また、特許文献２に記載された手首血圧計の傾斜検出手段は、前腕と共に傾斜する窓部から振り子のマークの位置を見ることで、傾斜の度合を検出するものであるため、傾斜が微妙にずれるだけでも、振り子と窓部の位置関係が動いてしまい、前腕の傾斜角度が適正角度範囲内にあるかどうかを瞬時に判断しにくいという問題があった。また、振り子となる部材を回動自在に支持しておくために装置が大型化しやすく、コンパクトな手首血圧計には適用しにくいという問題もあった。
【００１１】
本発明は、上記事情を考慮し、簡単な構成を付加するだけで、カフを心臓の高さに容易に合わせることができる、使い勝手のよい、コンパクト且つ低コストな手首血圧計を提供することを目的とする。
【課題を解決するための手段】
【００１２】
請求項１の発明は、カフを装着した手首の高さを被測定者の心臓の高さに合わせるために、肘を曲げて手首を持ち上げた際の前腕の傾斜角度が適正角度範囲内にあるかどうかを検出する傾斜検出手段を、前記カフまたはその近傍の部材に配設した手首血圧計において、前記傾斜検出手段を、前記カフまたはその近傍の部材に固定的に設けられることで、傾斜を検出する方向に延在したレールと、自重により前記レール上を転動するボールと、該ボールを、脱落防止しつつ、前記レール上を転動できるように収容し、且つ、前記ボールの位置を外部から視認可能とする窓部を有したケースと、で構成し、前記レール上に、該レールの延在方向に隣接する２つの互いに傾斜角度の異なる第１斜面を設け、該２つの第１斜面の交差部に、前記前腕の傾斜角度が適正角度範囲内にある時に前記ボールが安定位置決めされる凹部を形成し、前記凹部の両側の前記２つの第１斜面を、前記前腕の傾斜角度が適正角度範囲内の中心角度に保たれた時に水平となる基準面に対して、同じ角度α１（ただし、α１＞０°）だけ傾斜させて設けたことを特徴とする。
【００１３】
請求項２の発明は、請求項１に記載の手首血圧計であって、前記凹部の両側の前記２つの第１斜面の各外側に、該各第１斜面との交差部にそれぞれ凸部を形成する第２斜面を形成して、該第２斜面の前記基準面に対する傾斜角度をγ１（ただし、α１＞γ１＞０°）に設定し、各第２斜面の外側に、前記前腕の傾斜角度が適正角度範囲内から外れた時に前記ボールが安定位置決めされる移動限を確保したことを特徴とする。
【００１４】
請求項３の発明は、請求項１に記載の手首血圧計であって、前記前腕の傾斜角度の適正角度範囲を、お互いに重複しない第１の適正角度範囲と第２の適正角度範囲の２種類設定し、これら２種類の適正角度範囲に対応させて、前記凹部を第１と第２の２つ設けると共に、前記基準面を第１と第２の２つ設定し、前記第１の凹部を形成する２つの第１斜面と前記第２の凹部を形成する２つの第１斜面とを４つ連続して設けることで、中央の２つの第１斜面の交差部に凸部を設け、前記第１の凹部を形成する２つの第１斜面の前記第１の基準面に対する傾斜角度を前記α１に設定すると共に、前記第２の凹部を形成する２つの第１斜面の前記第２の基準面に対する傾斜角度をα２（ただし、α２＞０°であり、且つ、α１＝α２を含む）に設定したことを特徴とする。
【００１５】
請求項４の発明は、請求項３に記載の手首血圧計であって、前記２つ並んだ第１の凹部および第２の凹部のうちの第１の凹部を形成する外側の第１斜面の更に外側と、前記第２の凹部を形成する外側の第１斜面の更に外側とに、該各外側の第１斜面との交差部にそれぞれ凸部を形成する第２斜面を形成し、前記第１の凹部側の第２斜面の前記第１の基準面に対する傾斜角度を前記γ１（ただし、α１＞γ１＞０°）に設定すると共に、前記第２の凹部側の第２斜面の前記第２の基準面に対する傾斜角度をγ２（ただし、α２＞γ２＞０°）に設定し、各第２斜面の更に外側に、前記前腕の傾斜角度が適正角度範囲内から外れた時に、前記ボールが安定位置決めされる移動限を確保したことを特徴とする。
【００１６】
請求項５の発明は、請求項３または４に記載の手首血圧計であって、前記カフまたはその近傍に、被測定者の視線に対する角度によって見える内容の変化する表示体を配設し、前記前腕の傾斜角度を前記第１の適正角度範囲内に設定したときに、前記表示体を見る被測定者の目に第１の内容の表示が見えるようにすると共に、前記前腕の傾斜角度を前記第２の適正角度範囲内に設定したときに、前記表示体を見る被測定者の目に前記第１の内容と異なる第２の内容の表示が見えるようにし、前記表示体に前記第１の内容が見え、且つ、前記第１の凹部にボールが位置することが確認されたとき、前記前腕の傾斜角度が前記第１の適正角度範囲内に設定されていると見なし、前記表示体に前記第２の内容が見え、且つ、前記第２の凹部にボールが位置することが確認されたとき、前記前腕の傾斜角度が前記第２の適正角度範囲内に設定されていると見なすことを特徴とする。
【００１７】
請求項６の発明は、請求項５に記載の手首血圧計であって、前記表示体として、レンチキュラーシートを前記カフまたはその近傍の部材に貼り付けたことを特徴とする。
【００１８】
請求項７の発明は、請求項６に記載の手首血圧計であって、前記レンチキュラーシートは、前記前腕の傾斜角度が前記第１の適正角度範囲内にあるときと前記第２の適正角度範囲内にあるときとの被測定者の視線に対する角度の違いから、絵柄を変化させて見せるものであることを特徴とする。
【００１９】
請求項８の発明は、請求項７に記載の手首血圧計であって、前記傾斜検出手段のケースの窓部に並べて前記レンチキュラーシートを貼り付け、前記第１の凹部にボールが位置する傾斜角度のとき、そのボールに対応した前記レンチキュラーシート上の位置に特定のマークが見え、また、前記第２の凹部にボールが位置する傾斜角度のとき、そのボールに対応した前記レンチキュラーシート上の位置に特定のマークが見えるようにしたことを特徴とする。
【００２０】
請求項９の発明は、請求項１〜８のいずれかに記載の手首血圧計であって、前記傾斜検出手段のケース内に、互いに直交する２方向にレール面を向けて第１のレールと第２のレールの２つの前記レールを形成し、前記ケースの上下の向きを縦にするか横にするかで、前記ボールを前記第１のレールと第２のレールで選択的に利用可能としたことを特徴とする。
【００２１】
請求項１０の発明は、請求項９に記載の手首血圧計であって、前記カフと一体に設けられた血圧計本体の外装ケースの血圧結果表示部を備えた上面と側面の交わる角部に面取部を設けて、その面取部に前記傾斜検出手段を配置し、該傾斜検出手段のケース内の内壁のうち、前記外装ケースの上面側の内壁に前記第２のレールを形成し、側面側の内壁に前記第１のレールを形成し、前記外装ケースの上面を上方に向けて血圧計本体を傾斜させたとき、前記第１のレール上に前記ボールが位置し、前記外装ケースの側面を上方に向けて血圧計本体を傾斜させたとき、前記第２のレール上に前記ボールが位置することを特徴とする。
【００２２】
請求項１１の発明は、請求項１０に記載の手首血圧計であって、左手装着用の血圧計である場合に、前記傾斜検出手段が、前記外装ケースの上面と左側の側面の交わる左側角部に配設され、右手装着用の血圧計である場合に、前記傾斜検出手段が、前記外装ケースの上面と右側の側面の交わる右側の角部に配設されていることを特徴とする。
【発明の効果】
【００２３】
請求項１の発明では、傾斜検出手段を配設した部材が傾斜し、傾斜検出手段の基準面が水平となった場合、ボールはレール上の凹部に位置して動かない。前記基準面の角度θｋが、−α１＜θｋ＜＋α１の範囲にある間は、ボールは動かず、止まったままとなる。
【００２４】
従って、手首にカフを装着して、肘を曲げ、前腕を持ち上げる場合の前腕の傾斜角度θの許容範囲（心臓の高さとほぼ等しい高さとなるときの前腕の傾斜角度の範囲）を予め実験などにより求めておき、それに対応した基準面の角度θｋの許容範囲に基づいて、α１の値を設定しておくことにより、基準面の角度θｋが、−α１＜θｋ＜＋α１の範囲にある場合は、手首の高さが適正であると見なせることになる。また、基準面の角度θｋがα１を超えると、ボールは凹部から転がって出て行くので、そのことをもって、前腕の傾斜角度θが適正角度範囲にないことを知ることができる。
【００２５】
このように、ボールが凹部に止まっているかどうかで、傾斜角度が適正角度範囲にあるがどうかを見極めることができるので、特許文献２に記載の従来例のように、動く部材（指示部材）が目盛りの範囲に入っているかどうかで傾斜を検出する場合と比べて、瞬時に迷いなく適正か否かを判断することができる。従って、使い勝手が良く、カフを心臓の高さに容易に合わせることができて、正確な血圧測定が行える。
【００２６】
また、傾斜検出手段は、内部にレールを形成したケースの中にボールを入れただけの構成であるから、構造が簡単であり、スペースもとらない。従って、低コストでコンパクトに手首血圧計に組み込むことができる。
【００２７】
請求項２の発明によれば、凹部を形成する第１斜面の外側に角度の緩い第２斜面を設け、その第２斜面の外側にボールの移動限を確保したので、傾斜角度が増加するときと減少するときのボールの凹部への戻り動作にヒステリシスを持たせることができる。従って、傾斜角度が適正範囲内にあるか、それ以外にあるかの区別が、ボールの位置を見て一層しやすくなり、より使い勝手が良くなる。
【００２８】
請求項３の発明によれば、適正状態でボールが安定する凹部を２つ並べて設けたので、２種類の適正角度範囲について前腕の傾斜角度を吟味することができる。これは、肘を着くテーブルの高さが高い場合と低い場合で、最適な手首高さとなる前腕の傾斜角度が異なることに対応させたものである。
【００２９】
例えば、低いテーブルの場合は、肘の位置が下がるので、同じ手首高さにするためには、前腕の傾斜角度を大きくしなくてはならない。反対に、高いテーブルの場合は、肘の位置が上がるので、同じ手首高さにするためには、前腕の傾斜角度を小さくしなくてはならない。
【００３０】
本発明では、この違いに対応させて、適正角度範囲を２種類設けているのである。従って、前者の場合は、低いテーブル用の凹部にボールが止まっていることで、カフが適正高さにあると判断することができるし、また、後者の場合は、高いテーブル用の凹部にボールが止まっていることで、カフが適正高さにあると判断することができる。
【００３１】
請求項４の発明によれば、２つの凹部の外側に角度の緩い第２斜面を設け、その第２斜面の外側にボールの移動限を確保したので、傾斜角度が増加するときと減少するときのボールの凹部への戻り動作にヒステリシスを持たせることができる。従って、傾斜角度が適正範囲内にあるか、それ以外にあるかの区別が、ボールの位置を見て一層しやすくなり、より使い勝手が良くなる。
【００３２】
請求項５の発明によれば、被測定者の目から表示体上に見える内容によって前腕の傾斜角度を推定することができる。従って、その推定結果とボール式の傾斜検出手段の検出結果と組み合わせて判断することにより、表示体に第１の内容が見え、且つ、第１の凹部にボールが位置することが確認されたときに、前腕の傾斜角度が第１の適正角度範囲内に設定されていると見なすことができる。また、表示体に第２の内容が見え、且つ、第２の凹部にボールが位置することが確認されたとき、前腕の傾斜角度が第２の適正角度範囲内に設定されていると見なすことができる。つまり、２種類の傾斜検出結果に基づいて判断することにより、信頼度の高い傾斜検出を行うことができる。
【００３３】
請求項６の発明によれば、表示体として、レンチキュラーシートを用いるので、低コストで極めて容易に傾斜角度の推定が可能であり、重量が増すようなこともない。
【００３４】
請求項７の発明によれば、被測定者から見えるレンチキュラーシートの絵柄の変化により、傾斜角度の違いを推定させることができるので、適正位置にあるかどうかの判断がしやすい。
【００３５】
請求項８の発明によれば、第１、第２の２つの凹部とレンチキュラーシート上に表れるマークの位置を対応させたので、例えば、テーブルが高い場合と低い場合の適正角度範囲の違いによる２つの凹部の使い分けを、分かりやすく示すことができる。
【００３６】
請求項９の発明によれば、傾斜検出手段のケースの向きによって、ボールの位置を見るレールを使い分けることができ、直交する２面の各面内での傾斜検出を１つの傾斜検出手段によって行うことができる。例えば、前腕を前に突き出し、手首の内面を上方に向けて、肘を曲げていき、手首の高さを心臓の高さに持って行く姿勢と、前腕を胸の前にあてがい、手首の内面を胸側に向けて、胸の前で肘を曲げながら、手首の高さを心臓の高さに持って行く姿勢とでは、手首に装着したカフの向きが違ってくる。
【００３７】
即ち、前者の姿勢では、手首の内面が上を向き、後者の姿勢では、手首の外側の側面が上を向く。従って、手首の内面側の向きに傾斜検出手段の第１のレールのレール面を向けている場合には、前者の姿勢を取ることで、第１のレールが上向きになることによって、ボールが第１のレール上に位置することになり、その第１のレール上のボールの位置で、前腕の傾斜を検出することができる。また、手首の外側の側面の向きに傾斜検出手段の第２のレールのレール面を向けている場合には、後者の姿勢を取ることで、第２のレールが上向きになることによって、ボールが第２のレール上に位置することになり、その第２のレール上のボールの位置で、前腕の傾斜を検出することができる。
【００３８】
このように、手首の向きによらず、第１、第２のレールを使い分けることによって、傾斜角度が適正であるかどうかを判断することができる。また、この発明では、２つのレールに対し１個のボールを共用するので、無駄な構成を省略することができ、コンパクト化を図ることができるメリットもある。
【００３９】
請求項１０の発明によれば、血圧計本体の外装ケースの角部に面取部を設けて、そこに傾斜検出手段を配置したので、無理のないデザインで、２つのレールを有する傾斜検出手段を手首血圧計に組み込むことができる。また、傾斜検出手段のケース内の内壁のうち、外装ケースの上面側の内壁に第２のレールを形成し、側面側の内壁に第１のレールを形成し、外装ケースの上面を上方に向けて血圧計本体を傾斜させたとき、第１のレール上にボールが位置し、外装ケースの側面を上方に向けて血圧計本体を傾斜させたとき、第２のレール上にボールが位置するようにしたので、第１のレールと第２のレールによって、異なる手首の向きで前腕を持ち上げた場合の傾斜検出を行うことができる。
【００４０】
請求項１１の発明によれば、傾斜検出手段を外側の角部に配置したので、どちらの方向で前腕を持ち上げる場合にも、ボールの位置を見やすくすることができる。
【発明を実施するための最良の形態】
【００４１】
以下、本発明の実施形態を図面を参照して説明する。
まず、全部の実施形態に共通する事項について、図１、図２を代表例として参照しながら述べると、本発明の手首血圧計１は、カフ８を装着した手首Ｍｔの高さを被測定者Ｍの心臓Ｈ１（図１６参照）の高さに合わせるために、肘Ｍｈを曲げて手首Ｍｔを持ち上げた際の前腕Ｍｚの傾斜角度θが適正角度範囲内にあるかどうかを検出する傾斜検出手段２０を、前記カフ８またはその近傍の部材に配設したものである。
【００４２】
また、その傾斜検出手段２０を、カフ８またはその近傍の部材に固定的に設けられることで、傾斜を検出する方向に延在したレール３０と、自重により前記レール３０上を転動するボール２５と、該ボール２５を、脱落防止しつつ、前記レール３０上を転動できるように収容し、且つ、ボール２５の位置を外部から視認可能とする窓部２２ａを有したケース２２と、で構成している。
【００４３】
＜第１実施形態＞
図１〜図８は第１実施形態の手首血圧計１を説明するための図で、図１は手首血圧計１の外観図、図２は同手首血圧計１を手首に装着した状態を示す図１のＩＩ−ＩＩ矢視断面図、図３は図２の傾斜検出手段２０を構成するレール３０とその上を転動するボール２５との関係を取り出して示す拡大側面図、図４は前腕Ｍｚの傾斜角度の違いによるボールの動きを示す側面図、図５の（ａ）〜（ｅ）は前腕の傾斜角度の違いによるボールの位置の変化を示す側面図である。
【００４４】
また、図６〜図８はレールの斜面のタイプの別による、前腕の傾斜角度とボールの位置との関係を説明するための図で、各（ａ）はレールの形状を示す側面図、各（ｂ）は前腕の傾斜角度が増加していく場合と減少していく場合の傾斜角度とボールの位置の関係を示す特性図である。ここで、図６は第１実施形態のレールのタイプ、図７はその比較例として示すレールのタイプ、図８は更に別の比較例として示すレールのタイプの説明図である。
【００４５】
この手首血圧計１は、被測定者Ｍの手首Ｍｔに装着されるカフ８に、血圧計本体１０を一体に取り付けたものである。血圧計本体１０の外装ケース１１の内部には、いずれも図示しないが、カフ８の加減圧を行う加減圧手段と、カフ８の圧力変化に基づいて血圧測定を行う血圧測定手段と、各種制御を司る制御手段と、が設けられている。また、外装ケース１１の上面には、測定した血圧値を表示するための表示部１２と、血圧測定のための指示操作を行うスイッチの操作ボタン１３とが設けられている。
【００４６】
そして、外装ケース１１の上面に、血圧測定結果の表示部１２と並べて、傾斜検出手段（傾斜センサ）２０が設けられている。
【００４７】
傾斜検出手段２０は、図２に示すように、外装ケース１１の内部に埋め込まれたもので、内部にボール収容空間２１を有するケース２２と、ケース２２の内部に収容されたプラスチック製のボール２５（鋼球でも可）と、ケース２２の内底部に設けられたレール３０と、からなる。
【００４８】
レール３０は、前腕Ｍｚの傾斜を検出する方向、つまり、ここでは手首にカフ８を巻き付けた際の手先側と手元側を結ぶ線に沿って延在している。ボール２５は、自重により、このレール３０上を自由に転動するように収納され、ケース２２は、このボール２５を、脱落防止しつつ、レール３０上を転動できるように収容している。また、ケース２２の上面には、中のボール２５の位置を外部から視認可能とする窓部２２ａが設けられている。この窓部２２ａは、外装ケース１１の透明部分により覆われている。
【００４９】
図２、図３に示すように、レール３０上には、レール３０の延在方向に隣接する２つの互いに傾斜角度の異なる第１斜面３１ａが設けられており、これら２つの第１斜面３１ａの交差部に、前腕Ｍｚの傾斜角度θが適正角度範囲内にある時にボール２５が安定的に位置決めされる凹部３１が形成されている。
【００５０】
この場合、前腕Ｍｚの傾斜角度θが適正角度範囲内の中心角度に保たれた時に水平となる面が基準面Ｋとして設定され、凹部３１の両側の２つの第１斜面３１ａが、前記基準面Ｋに対して、同じ角度α１（ただし、α１＞０°）だけ傾斜させて設けられている。本例では、α１＝１０°に設定されている。
【００５１】
また、凹部３１の両側の２つの第１斜面３１ａの各外側には、各第１斜面３１ａとの交差部にそれぞれ凸部３２を形成する第２斜面３２ａが形成されており、第２斜面３２ａの前記基準面Ｋに対する傾斜角度が、γ１（ただし、α１＞γ１＞０°）に設定されている。本例では、γ１＝α１×（１／２）＝５°に設定されている。
【００５２】
また、各第２斜面３２ａの外側には、前腕Ｍｚの傾斜角度θが適正角度範囲内から外れた時に、ボール２５が安定的に位置決めされる移動限３２Ｈ、３２Ｌが確保されている。これらの位置は、エラー時のボール２５の位置であり、３２Ｈは、傾斜角度θが大きい側（手首Ｍｔの位置が高すぎる側）のエラー位置、３２Ｌは、傾斜角度θが小さい側（手首Ｍｔの位置が低すぎる側）のエラー位置である。
【００５３】
本実施形態の手首血圧計１は、このような構成の傾斜検出手段２０を備えているので、手首Ｍｔに手首血圧計１を装着して、テーブルＴ上に肘Ｍｈを着いて、前腕Ｍｚを持ち上げていった場合、図４に示すように、その前腕Ｍｚの傾斜角度θに応じて、レール３０上でボール２５の位置が動く。そして、そのボール２５の位置を、窓部２２ａを通して被測定者Ｍが見ることによって、前腕Ｍｚの傾斜角度θが、手首Ｍｔの高さを心臓の高さに合わせることのできる適正角度範囲にあるか否かを確認することができる。
【００５４】
この場合、傾斜検出手段２０の基準面Ｋが水平（基準面Ｋの傾斜角度θｋ＝０°）となったとき、ボール２５は、レール３０上の凹部３１に位置して動かず、基準面Ｋの角度θｋが「−α１＜θｋ＜＋α１」の範囲にある間は、ボール２５は動かずに止まったままとなる。
【００５５】
α１の値は、前腕Ｍｚの傾斜角度θの許容範囲に基づいて定めてあるので、凹部３１にボール２５が位置しているときは、基準面Ｋの角度θｋが「−α１＜θｋ＜＋α１」の範囲にあるということで、手首Ｍｔの高さが適正であると見なせることになる。また、基準面Ｋの角度θｋがα１を超えると、ボール２５は凹部３１から出て移動限３２Ｈ、３２Ｌまで転がって行くので、そのことをもって、前腕Ｍｚの傾斜角度θが適正角度範囲にないことを知ることができる。
【００５６】
つまり、図４、図５に示すように、前腕Ｍｚの傾斜角度θが大きすぎる場合は、ボール２５が角度高エラー位置３２Ｈに転がり、前腕Ｍｚの傾斜角度θが小さすぎる場合は、ボール２５が角度低エラー位置３２Ｌに転がり、前腕Ｍｚの傾斜角度θが適正角度範囲にある場合は、ボール２５が中央の凹部３１に止まる。このボール２５の位置を見ることによって、前腕Ｍｚの傾斜角度θが適正か否かを見分けることができる。
【００５７】
このように、ボール２５が凹部３１に止まっているかどうかで、傾斜角度θが適正角度範囲にあるがどうかを見極めることができるので、特許文献２に記載の従来例のように、動く部材（指示部材）が目盛りの範囲に入っているかどうかで傾斜を検出する場合と比べて、瞬時に迷いなく適正か否かを判断することができる。従って、使い勝手が良く、カフ８を心臓の高さに容易に合わせることができ、正確な血圧測定が行える。
【００５８】
また、前述した傾斜検出手段２０は、内部にレール３０を形成したケース２２の中にボール２５を入れただけの構成であるから、構造が簡単であり、スペースもとらない。従って、低コストでコンパクトに手首血圧計１に組み込むことができる。
【００５９】
また、本実施形態では、凹部３１を形成する第１斜面３１ａの外側に、角度の緩い（第１斜面の傾斜角度１０°の半分の５°としてある）第２斜面３２ａを設けているので、図６に示すように、傾斜角度θ（図６は基準面Ｋの角度θｋであらわしてある）が増加するときと減少するときのボール２５の凹部３１への戻り動作にヒステリシス（Ｒ２の範囲）を持たせることができる。従って、傾斜角度が適正範囲内にあるか、それ以外にあるかの区別が、ボールの位置を見て一層しやすくなり、より使い勝手が良くなる。なお、ヒステリシスの影響を受けない範囲Ｒ１では、傾斜角度の変化の方向に関係なく、ボール２５は凹部３１内に止まっている。また、各第２斜面３２ａの外側にボールの移動限３２Ｈ、３２Ｌを確保しているので、エラー時の確認が容易である。
【００６０】
なお、本実施形態では、図６（ａ）に示すように、凹部３１を形成する第１斜面３１ａの外側に角度の緩い第２斜面３２ａを設けた場合を示したが、採用可能性のある他の例として、図７（ａ）に示すように、第２斜面３２ａに相当する部分の傾斜角度γ１を、第１斜面３１の傾斜角度α１と等しく設定した例を挙げることができる。この場合は、図７（ｂ）に示すように、傾斜角度の変化の方向に関係なく、同じ経路でボール２５の位置が変化し、ヒステリシスのない特性となる。そして、Ｒ１で示す範囲が傾斜角度の許容範囲となる。
【００６１】
また、第２斜面３２ａの傾斜角度γ１を小さくしていくと、究極は、図８（ａ）に示すように、γ１＝０°となる可能性があるが、この場合は、図８（ｂ）に示すように、ヒステリシスが大きくなりすぎて、凹部３１内にてボール２５の安定する範囲が、傾斜角度の変化の方向により重ならなくなるので、傾斜角度の確認手段としては使えない。
【００６２】
＜第２実施形態＞
図９は本発明の第２実施形態の手首血圧計５１の外観構成を示す斜視図、図１０（ａ）〜（ｃ）は同血圧計５１における血圧計本体６０の３面図、図１１は同実施形態の手首血圧計５１の使用姿勢を示す図で、（ａ）は腕を前に伸ばして曲げる場合、（ｂ）は腕を胸の前にあてがって曲げる場合を示す図である。
【００６３】
この実施形態の手首血圧計５１は、主として左手に装着する血圧計であり、血圧計本体６０の長方形箱形の外装ケース１１の上面１１ａ（血圧測定結果表示部１２や操作ボタン１３などが設けられた面）と左側の側面１１ｂの交わる左側角部の前側に、傾斜検出手段７０が配設されている。すなわち、血圧計本体６０の外装ケース１１の上面１１ａと左側側面１１ｂの交わる角部の前側に面取部１１ｍが設けられており、その面取部１１ｍに傾斜検出手段７０が配設され、傾斜検出手段７０の上面の窓部２２ａが、湾曲した透明板により覆われている。
【００６４】
そして、この手首血圧計５１の傾斜検出手段７０においては、ボール２５を収容するケース２２内に、互いに直交する２方向にレール面（ボールの転動する面）を向けて、第１のレール８０Ａと第２のレール８０Ｂの２つのレールが形成され、血圧計本体６０の上下の向きを、図１１（ａ）に示すように縦にするか、（ｂ）に示すように横にするかで、ボール２５を第１のレール８０Ａと第２のレール８０Ｂで選択的に利用できるようになっている。
【００６５】
具体的には、傾斜検出手段７０のケース２２内の内壁のうち、外装ケース１１の上面１１ａ側の内壁に第２のレール８０Ｂが形成され、左の側面１１ｂ側の内壁に第１のレール８０Ａが形成され、図１１（ａ）のように、外装ケース１１の上面１１ａを上方に向けて血圧計本体６０を傾斜させたとき、第１のレール８０Ａ上にボール２５が位置し、（ｂ）のように、外装ケース１１の左の側面１１ｂを上方に向けて血圧計本体６０を傾斜させたとき、第２のレール８０Ｂ上にボール２５が位置するようになっている。
【００６６】
このように、傾斜検出手段７０のケース２２の向き（あるいは、血圧計本体６０の向き）に応じて、ボール２５の位置を見るレール８０Ａ、８０Ｂを使い分けることができるので、直交する２面の各面内での傾斜検出を、１つの傾斜検出手段７０によって行うことができる。
【００６７】
例えば、図１１（ａ）のように、前腕Ｍｚを前に突き出し、手首Ｍｔの内面を上方に向けて、肘Ｍｈを曲げていき、手首Ｍｔの高さを心臓の高さに持って行く姿勢と、（ｂ）のように、前腕Ｍｚを胸の前にあてがい、手首Ｍｔの内面を胸側に向けて、胸の前で肘Ｍｈを曲げながら、手首Ｍｔの高さを心臓の高さに持って行く姿勢と、の両方の場合に、それぞれのレール８０Ａ、８０Ｂを自動的に使い分けることによって、傾斜検出を行うことができる。
【００６８】
即ち、前者の姿勢では、手首Ｍｔの内面が上を向き、後者の姿勢では、手首Ｍｔの外側の側面が上を向く。従って、上面１１ａを手首Ｍｔの内面側の向きに向けて、血圧計本体６０を手首Ｍｔに装着している場合には、図１１（ａ）の姿勢を取ることで、第１のレール８０Ａが上向きになることによって、ボール２５が第１のレール８０Ａ上に位置することになり、その第１のレール８０Ａ上のボール２５の位置で、前腕Ｍｚの傾斜を検出することができる。また、図１１（ｂ）の姿勢を取ることで、第２のレール８０Ｂが上向きになることによって、ボール２５が第２のレール８０Ｂ上に位置することになり、その第２のレール８０Ｂ上のボール２５の位置で、前腕Ｍｚの傾斜を検出することができる。
【００６９】
このように、手首Ｍｔの向きによらず、第１、第２のレール８０Ａ、８０Ｂを使い分けることによって、傾斜角度が適正であるかどうかを判断することができる。また、この実施形態では、２つのレール８０Ａ、８０Ｂに対して１個のボール２５を共用するので、無駄な構成を省略することができ、コンパクト化を図ることができるメリットも得られる。
【００７０】
また、この実施形態では、血圧計本体６０の外装ケース１１の角部に面取部１１ｍを設けて、そこに傾斜検出手段７０を配置しているので、無理のないデザインで、２つのレール８０Ａ、８０Ｂを有する傾斜検出手段７０を手首血圧計５１に組み込むことができる。また、傾斜検出手段７０を外装ケース１１の外側の角部に配置しているので、図１１のどちらの姿勢で前腕Ｍｚを持ち上げる場合にも、ボール２５の位置を見やすくすることができる。
【００７１】
なお、主に右手に装着する血圧計の場合は、傾斜検出手段７０を外装ケース１１の右側の角部に配設するのがよい。
【００７２】
＜第３実施形態＞
図１２は、本発明の第３実施形態の手首血圧計における傾斜検出手段７０Ｂのレール９０とボール２５の関係を示す図、図１３（ａ）〜（ｊ）は、同レール９０の傾斜に応じたボール２５の動きを示す図である。また、図１４、図１５は、次の第４実施形態の説明用の図であるが、共通の課題として、テーブルの高さの違いによって、前腕Ｍｚの適正な傾斜角度が異なることを示す図である。
【００７３】
本実施形態の手首血圧計では、前腕の傾斜角度の適正角度範囲を、お互いに重複しない第１の適正角度範囲と第２の適正角度範囲の２種類設定している。これは、図１４、図１５に例を示すように、肘Ｍｈを着くテーブルＴの高さが高い場合と低い場合で、最適な手首Ｍｔの高さとなる前腕Ｍｚの傾斜角度θ（θ１、θ２）が異なることに対応させたものである。
【００７４】
例えば、図１４に示すように、低いテーブルＴ１の場合は、肘Ｍｈの位置が下がるので、同じ手首Ｍｔの高さにするためには、前腕Ｍｚの傾斜角度θを大きい角度θ１にしなくてはならない。反対に、図１５に示すように、高いテーブルＴ２の場合は、肘Ｍｈの位置が上がるので、同じ手首Ｍｔの高さにするためには、前腕Ｍｚの傾斜角度θを小さい角度θ２（θ２＜θ１）にしなくてはならない。本実施形態では、この違いに対応させて、適正角度範囲を２種類設けているのである。
【００７５】
これら２種類の適正角度範囲に対応させて、図１２に示すように、レール９０上には、第１の凹部９１（安定スポットＡとも言う）と第２の凹部９２（安定スポットＢとも言う）の２つを設けている。また、第１の基準面Ｋ１と第２の基準面Ｋ２の２つを設定している。
【００７６】
ここで、第１の基準面Ｋ１は、前腕Ｍｚを、小さい方の第１の適正角度（図１５のθ２）範囲の中心角に設定した場合に水平となる面、また、第２の基準面Ｋ２は、前腕Ｍｚを、大きい方の第２の適正角度（図１４のθ１）範囲の中心角に設定した場合に水平となる面である。
【００７７】
また、第１の凹部９１（Ａ）は、前腕Ｍｚを、小さい方の第１の適正角度（図１５のθ２）範囲に保った場合にボール２５が止まる位置、また、第２の凹部９２は、前腕Ｍｚを、大きい方の第２の適正角度（図１４のθ１）範囲に保った場合にボール２５が止まる位置である。
【００７８】
第１の凹部９１を形成する２つの第１斜面９１ａと第２の凹部９２を形成する２つの第１斜面９２ａとが４つ連続して設けられることで、中央の２つの第１斜面９１ａ、９２ａの交差部に凸部９３が設けられている。
【００７９】
また、第１の凹部９１を形成する２つの第１斜面９１ａの第１の基準面Ｋ１に対する傾斜角度がα１に設定され、第２の凹部９２を形成する２つの第１斜面９２ａの第２の基準面Ｋ２に対する傾斜角度がα２に設定されている。ただし、α１＞０°、α２＞０°であり、ここでは、α１＝α２＝２０°に設定されている。
【００８０】
また、２つ並んだ第１の凹部９１および第２の凹部９２のうちの第１の凹部９１を形成する外側の第１斜面９１ａの更に外側と、第２の凹部９２を形成する外側の第１斜面９２ａの更に外側とに、該各外側の第１斜面９１ａ、９２ａとの交差部にそれぞれ凸部９４を形成する第２斜面９４ａが形成され、第１の凹部９１側の第２斜面９４ａの第１の基準面Ｋ１に対する傾斜角度がγ１（ただし、α１＞γ１＞０°）に設定されると共に、第２の凹部９２側の第２斜面９４ａの第２の基準面Ｋ２に対する傾斜角度がγ２（ただし、α２＞γ２＞０°）に設定されている。そして、各第２斜面９４ａの更に外側に、前腕Ｍｚの傾斜角度が適正角度範囲内から外れた時に、ボール２６が安定的に位置決めされる移動限３２Ｈ、３２Ｌが確保されている。
【００８１】
このような２つの凹部９１、９２を有したレール９０を備える場合、レール９０の傾斜角度（手首に装着された血圧計本体の傾斜角度または前腕の傾斜角度に相当）の増減に応じて、図１３に示すように、ボール２５の位置が動くことにより、２種類の適正角度範囲について前腕Ｍｚの傾斜角度を吟味することができる。
【００８２】
例えば、図１４に示すように、低いテーブルＴ１の場合は、低いテーブル用の凹部９２（Ｂ）にボール２５が止まっていることで、手首が適正高さにあると判断することができるし、また、図１５に示すように、高いテーブルＴ２の場合は、高いテーブル用の凹部９１（Ａ）にボール２５が止まっていることで、手首が適正高さにあると判断することができる。
【００８３】
また、この場合も、２つの凹部９１、９２の外側に角度の緩い第２斜面９４ａを設けているので、傾斜角度が増加するときと減少するときのボールの凹部９１、９２への戻り動作にヒステリシスを持たせることができる。従って、傾斜角度が適正範囲内にあるか、それ以外にあるかの区別が、ボール２５の位置を見て一層しやすくなり、より使い勝手が良くなる。また、各第２斜面９４ａの外側にボールの移動限３２Ｈ、３２Ｌを確保しているので、エラー時の確認が容易である。
【００８４】
＜第４実施形態＞
図１４、図１５の各（ａ）は第４実施形態の手首血圧計５１Ｂを使用している状態を示す側面図、各（ｂ）はその一部である傾斜検出部の正面図である。
この実施形態の手首血圧計５１Ｂは、第３実施形態の手首血圧計に、新たに表示体１００を付加したものである。
【００８５】
具体的には、血圧計本体６０Ｂの外装ケース１１の上面に、傾斜検出手段７０Ｂのケース２２の窓部２２ａと並べて、被測定者Ｍの視線Ｓに対する角度δによって見える内容の変化するレンチキュラーシート（表示体）１００を貼り付けている。ここで、傾斜検出手段７０Ｂの構成は第３実施形態と全く同じであるから、説明は省略する。
【００８６】
レンチキュラーシート１００は、前腕Ｍｚの傾斜角度を第１の適正角度（図１５のθ２）の範囲内に設定したときに、レンチキュラーシート１００を見る被測定者Ｍの目に、第１の内容の表示が見えるようにすると共に、前腕Ｍｚの傾斜角度を第２の適正角度（図１４のθ２）の範囲内に設定したときに、レンチキュラーシート１００を見る被測定者Ｍの目に、第１の内容と異なる第２の内容の表示が見えるようにしてある。
【００８７】
ここでは、レンチキュラーシート１００は、前腕Ｍｚの傾斜角度が第１の適正角度範囲内にあるときと第２の適正角度範囲内にあるときとの被測定者Ｍの視線に対する角度δの違いから、絵柄を変化させて見せるものであり、２つのマーク１０１、１０２の点滅状態の違いとして見せるようになっている。すなわち、第１の適正角度にあるとき、一方のマーク１０１が点灯し、他方のマーク１０２が消灯しているように見え、第２の適正角度にあるとき、一方のマーク１０１が消灯し、他方のマーク１０２が点灯しているように見える。
【００８８】
これら２つのマーク１０１、１０２は、赤い丸ボタン状のものであり、傾斜検出手段７０Ｂの第１の凹部９１と第２の凹部９２の位置に対応して配置されている。そして、図１５に示すように、第１の凹部９１にボール２５が位置する傾斜角度θ２のとき、そのボール２５に対応したレンチキュラーシート１００上の位置に、上の赤いマーク１０１が見え（下のマーク１０２は見えない）、また、図１４に示すように、第２の凹部９２にボール２５が位置する傾斜角度θ１のとき、そのボール２５に対応したレンチキュラーシート１００上の位置に、下の赤いマーク１０２が見え（上のマーク１０１は見えない）るようになっている。
【００８９】
従って、図１５に示すように、被測定者Ｍの目から、レンチキュラーシート１００上に第１の内容が見え（上のマーク１０１が見え、下のマーク１０２が見えない）、且つ、第１の凹部９１（Ａ）にボール２５が位置することが確認されたとき、前腕Ｍｚの傾斜角度が第１の適正角度θ２の範囲内に設定されていると見なすことができる。また、図１４に示すように、被測定者Ｍの目から、レンチキュラーシート１００上に第２の内容が見え（上のマーク１０１が見えず、下のマーク１０２が見える）、且つ、第２の凹部９２（Ｂ）にボール２５が位置することが確認されたとき、前腕Ｍｚの傾斜角度が第２の適正角度θ１の範囲内に設定されていると見なすことができる。
【００９０】
このように、被測定者Ｍの目からレンチキュラーシート１００上に見える内容によって前腕Ｍｚの傾斜角度を推定することができるので、その推定結果とボール式の傾斜検出手段７０Ｂの検出結果と組み合わせて判断することにより、信頼度の高い傾斜検出を行うことができる。また、第１、第２の２つの凹部９１、９２とレンチキュラーシート１００上に表れるマーク１０１、１０２の位置を対応させているので、テーブルが高い場合と低い場合の適正角度範囲の違いによる２つの凹部９１、９２の使い分けを、分かりやすく示すことができる。
【００９１】
また、表示体としてレンチキュラーシート１００を用いているので、低コストで極めて容易に傾斜角度の推定が可能であり、重量が増すようなこともない。また、絵柄の変化により傾斜角度の推定が可能であるから、適正位置にあるかどうかの判断がしやすい。
【００９２】
なお、上記実施形態では、レンチキュラーシート１００を傾斜検出手段７０Ｂの窓部２２ａのそばに並べて配置した場合を示したが、見る角度に応じて遮光状態と透明状態が切り替わる機能を持ったレンチキュラーシートや視野角調整シート等の表示体を、傾斜検出手段７０Ｂの窓部２２ａの上に貼り付け、表示体を通して中のボール２５が見えるようにすることもできる。
【００９３】
例えば、第１の適正角度範囲にあるときは、表示体を通して第１の凹部９１の位置だけ中が見え、第２の凹部９２の位置は中が見えないようにする。また、第２の適正角度範囲にあるときは、表示体を通して第２の凹部９２の位置だけ中が見え、第１の凹部９１の位置は中が見えないようにする。その他の角度範囲にあるときは、全部が見えないようにする。そうすることにより、表示体を通して見える位置にボール２５があるときだけ、適正角度範囲にあると判断することができるようになる。
【００９４】
また、この例は、２つの凹部９１、９２を有する傾斜検出手段７０Ｂの窓部２２ａに表示体を貼り付ける場合であったが、図１、図２に示すように、１つの凹部を有する傾斜検出手段２０の窓部２２ａに同様の表示体を貼り付けてもよい。
【図面の簡単な説明】
【００９５】
【図１】本発明の第１実施形態の手首血圧計の外観図である。
【図２】同手首血圧計を手首に装着した状態を示す図１のＩＩ−ＩＩ矢視断面図でる。
【図３】図２の傾斜検出手段を構成するレールとその上を転動するボールとの関係を取り出して示す拡大側面図である。
【図４】同傾斜検出手段における前腕の傾斜角度の違いによるボールの動きを示す側面図でる。
【図５】（ａ）〜（ｅ）は前腕の傾斜角度の違いによるボールの位置の変化を示す側面図である。
【図６】レールの斜面のタイプによる前腕の傾斜角度とボールの位置との関係を説明するための図であり、（ａ）はレールの形状を示す側面図、（ｂ）は前腕の傾斜角度が増加していく場合と減少していく場合の傾斜角度とボールの位置の関係を示す特性図である。
【図７】別のレールのタイプの図６と同様の図である。
【図８】更に別のレールのタイプの図６と同様の図である。
【図９】本発明の第２実施形態の手首血圧計の外観構成を示す斜視図である。
【図１０】（ａ）〜（ｃ）は同血圧計における血圧計本体の３面図である。
【図１１】同手首血圧計の使用姿勢を示す図で、（ａ）は腕を前に伸ばして曲げる場合、（ｂ）は腕を胸の前にあてがって曲げる場合を示す図である。
【図１２】本発明の第３実施形態の手首血圧計における傾斜検出手段のレールとボールの関係を示す側面図である。
【図１３】（ａ）〜（ｊ）は、同レールの傾斜に応じたボールの動きを示す図である。
【図１４】（ａ）は本発明の第４実施形態の手首血圧計の低いテーブル上での使用状態を示す側面図、（ｂ）はその一部である傾斜検出部の正面図である。
【図１５】（ａ）は同手首血圧計の高いテーブル上での使用状態を示す側面図、（ｂ）はその一部である傾斜検出部の正面図である。
【図１６】従来一般の手首血圧計の高さの合わせ方の説明図である。
【符号の説明】
【００９６】
１，５１，５１Ｂ  手首血圧計
８  カフ
１０，６０，６０Ｂ  血圧計本体
１１  外装ケース
１１ａ  上面
１１ｂ  側面
１１ｍ  面取部
１２  血圧測定結果の表示部
１３  操作ボタン
２０，７０，７０Ｂ  傾斜検出手段
２１  ボール収容空間
２２  ケース
２２ａ  窓部
２５  ボール
３０  レール
３１  凹部
３１ａ  第１斜面
３２  凸部
３２ａ  第２斜面
３２Ｌ，３２Ｈ  移動限
８０Ａ  第１のレール
８０Ｂ  第２のレール
９０  レール
９１  第１の凹部
９１ａ  第１斜面
９２  第２の凹部
９２ａ  斜面
９３  凸部
９４  凸部
９４ａ  第２斜面
１００  レンチキュラーシート（表示体）
１０１，１０２  マーク
Ｍ  被測定者
Ｍｈ  肘
Ｍｚ  前腕
Ｍｔ  手首
Ｔ，Ｔ１，Ｔ２  テーブル
θ  傾斜角度
θｋ  基準面の傾斜角度
Ｋ  基準面
Ｋ１  第１の基準面
Ｋ２  第２の基準面
【図１】
2007313015.tif 000003
【図２】
2007313015.tif 000004
【図３】
2007313015.tif 000005
【図４】
2007313015.tif 000006
【図５】
2007313015.tif 000007
【図６】
2007313015.tif 000008
【図７】
2007313015.tif 000009
【図８】
2007313015.tif 000010
【図９】
2007313015.tif 000011
【図１０】
2007313015.tif 000012
【図１１】
2007313015.tif 000013
【図１２】
2007313015.tif 000014
【図１３】
2007313015.tif 000015
【図１４】
2007313015.tif 000016
【図１５】
2007313015.tif 000017
【図１６】
2007313015.tif 000018